【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
圧縮ガーメントであって、
患者の四肢の一部の周囲に巻着されるような寸法にされた本体部分であって、前記本体部分は、頂部縁と、底部縁と、一対の対向側縁とを有し、ここで、前記本体部分は、頂から底まで切り取られて、前記本体部分が前記患者の四肢の一部のサイズおよび形状に対応するように狭くされることを可能にし得、ここで前記本体部分の前記頂および底は、前記本体部分に沿って延びる測定用目印を有し、ここで前記測定用目印は、前記四肢の円周に対応し、その結果、両側の切り取り部分は、前記本体部分の前記頂の幅が前記四肢の頂の幅に対応するように、そして前記底部分の幅が前記四肢の底の幅に対応するように、取り除かれ得る、本体部分と、
複数のバンドであって、前記バンドは、それぞれ、複数の異なる角度および場所において、前記本体部分上に取り外し可能に取着可能であり、そして前記本体部分が、前記患者の身体の一部の周囲に巻着され、圧縮力を前記患者の身体に加えると、前記バンドは、前記本体部分の一部の周囲に巻着する、バンドと、
を備える、ガーメント。
【請求項２】
前記本体部分は、前記患者の四肢の一部の円周の大部分の周囲に巻着する、請求項１に記載の圧縮ガーメント。
【請求項３】
前記本体部分は、前記患者の四肢の一部の円周の４分の３を上回って、その周囲に巻着する、請求項１に記載の圧縮ガーメント。
【請求項４】
前記本体部分の前記頂部縁は、前記底部縁より幅が広く、前記本体部分の前記対向側縁は、前記頂部縁から前記底部縁へと内向きに先細になる、請求項１に記載の圧縮ガーメント。
【請求項５】
前記複数のバンドは、面ファスナによって、前記本体部分上に取着される、請求項１に記載の圧縮ガーメント。
【請求項６】
前記複数のバンドは、Ｄリングを使用して、前記本体部分上に取着される、請求項１に記載の圧縮ガーメント。
【請求項７】
前記本体部分は、高圧および低圧の交互になったチャネルを備える、請求項１に記載の圧縮ガーメント。
【請求項８】
前記本体部分の第１の前記対向側縁から延在するバンドは、前記本体部分の第２の前記対向側から延在するバンドとの間に並置される、請求項１に記載の圧縮ガーメント。
【請求項９】
前記本体部分は、身体四肢に沿って、前記ガーメントの長さを短縮するための切り取り領域を有する、請求項１に記載の圧縮ガーメント。
【請求項１０】
前記バンドは、その長さを短縮するための切り取り部分を有する、請求項１に記載の圧縮ガーメント。
【請求項１１】
前記バンドは、前記本体部分の対向側縁から延在する、請求項８に記載の圧縮ガーメント。
【請求項１２】
前記バンドは、前記本体部分の同一の側縁から延在する、請求項１に記載の圧縮ガーメント。
【請求項１３】
前記本体部分の縁に取着され、前記ガーメントに隣接して圧縮を加える、ラップをさらに備える、請求項１に記載の圧縮ガーメント。
【請求項１４】
各バンドの一端を前記本体部分上に固着する補強タブをさらに備える、請求項１に記載の圧縮ガーメント。
【請求項１５】
各バンドの一端は、他端より前記本体部分により強力に接着する、請求項１に記載の圧縮ガーメント。
【請求項１６】
前記バンドは、セットまたは対において、前記本体部分に取着される、請求項１に記載の圧縮ガーメント。
【請求項１７】
前記本体部分は、ブリッジ部分を備える、請求項１に記載の圧縮ガーメント。
【請求項１８】
前記ブリッジ部分は、前記本体部分の残りと異なる伸縮性を有する、請求項１７に記載の圧縮ガーメント。
【請求項１９】
前記本体部分内に巻着される矯正用挿入体をさらに備える、請求項１に記載の圧縮ガーメント。
【請求項２０】
前記本体部分に取着される創傷用包帯剤をさらに備える、請求項１に記載の圧縮ガーメント。
【請求項２１】
前記本体部分は、その底部縁が一緒に巻着されると、カップを形成する、請求項１に記載の圧縮ガーメント。
【請求項２２】
前記本体部分は、前記本体部分の中に予備成形されたくぼみを備える、請求項１に記載の圧縮ガーメント。
【手続補正２】
【補正対象書類名】明細書
【補正対象項目名】０００９
【補正方法】変更
【補正の内容】
【０００９】
本発明は、例えば、以下を提供する： 
（項目１）
圧縮ガーメントであって、
患者の身体の一部の周囲に巻着されるような寸法にされた本体部分であって、前記本体部分は、頂部縁と、底部縁と、一対の対向側縁とを有し、ここで、前記本体部分は、前記本体部分が前記患者の身体の一部の円周に対応するような寸法にされることを可能にする、切り取り部分を備える、本体部分と、
複数のバンドであって、前記バンドは、それぞれ、複数の異なる場所において、前記本体部分上に取着可能であり、そして前記本体部分が、前記患者の身体の一部の周囲に巻着され、圧縮力を前記患者の身体に加えると、前記バンドは、前記本体部分の一部の周囲に巻着する、バンドと、
を備える、ガーメント。
（項目２）
前記本体部分は、前記患者の身体の一部の円周の大部分の周囲に巻着する、項目１に記載の圧縮ガーメント。
（項目３）
前記本体部分は、前記患者の身体の一部の円周の４分の３を上回って、その周囲に巻着する、項目１に記載の圧縮ガーメント。
（項目４）
前記患者の身体の一部は、身体四肢である、項目１に記載の圧縮ガーメント。
（項目５）
前記本体部分の前記頂部縁は、前記底部縁より幅が広く、前記本体部分の前記対向側縁は、前記頂部縁から前記底部縁へと内向きに先細になる、項目１に記載の圧縮ガーメント。
（項目６）
前記複数のバンドは、面ファスナによって、前記本体部分上に取着される、項目１に記載の圧縮ガーメント。
（項目７）
前記複数のバンドは、Ｄリングを使用して、前記本体部分上に取着される、項目１に記載の圧縮ガーメント。
（項目８）
前記本体部分は、高圧および低圧の交互になったチャネルを備える、項目１に記載の圧縮ガーメント。
（項目９）
前記本体部分の第１の前記対向側縁から延在するバンドは、前記本体部分の第２の前記対向側から延在するバンドとの間に並置される、項目１に記載の圧縮ガーメント。
（項目１０）
前記本体部分は、測定用目印によってマークされる、項目１に記載の圧縮ガーメント。
（項目１１）
前記測定用目印は、身体四肢の円周に対応する、項目１０に記載の圧縮ガーメント。
（項目１２）
前記本体部分は、身体四肢に沿って、前記ガーメントの長さを短縮するための切り取り領域を有する、項目１に記載の圧縮ガーメント。
（項目１３）
前記本体部分は、前記圧縮ガーメントの円周を狭くするための切り取り領域を有する、項目１に記載の圧縮ガーメント。
（項目１４）
前記バンドは、その長さを短縮するための切り取り部分を有する、項目１に記載の圧縮ガーメント。
（項目１５）
前記バンドは、前記本体部分の対向側縁から延在する、項目９に記載の圧縮ガーメント。
（項目１６）
前記バンドは、前記本体部分の同一の側縁から延在する、項目１に記載の圧縮ガーメント。
（項目１７）
前記本体部分の縁に取着され、前記ガーメントに隣接して圧縮を加える、ラップをさらに備える、項目１に記載の圧縮ガーメント。
（項目１８）
各バンドの一端を前記本体部分上に固着する補強タブをさらに備える、項目１に記載の圧縮ガーメント。
（項目１９）
各バンドの一端は、他端より前記本体部分により強力に接着する、項目１に記載の圧縮ガーメント。
（項目２０）
前記バンドは、セットまたは対において、前記本体部分に取着される、項目１に記載の圧縮ガーメント。
（項目２１）
前記本体部分は、ブリッジ部分を備える、項目１に記載の圧縮ガーメント。
（項目２２）
前記ブリッジ部分は、前記本体部分の残りと異なる伸縮性を有する、項目２１に記載の圧縮ガーメント。
（項目２３）
前記本体部分内に巻着される矯正用挿入体をさらに備える、項目１に記載の圧縮ガーメント。
（項目２４）
前記本体部分に取着される創傷用包帯剤をさらに備える、項目１に記載の圧縮ガーメント。
（項目２５）
前記本体部分は、その底部縁が一緒に巻着されると、カップを形成する、項目１に記載の圧縮ガーメント。
（項目２６）
前記本体部分は、前記本体部分の中に予備成形されたくぼみを備える、項目１に記載の圧縮ガーメント。
（項目２７）
圧縮ガーメントを身体部分に適合させる方法であって、
前記圧縮ガーメントは、本体部分および複数のバンドを備え、前記方法は：
（ｉ）前記複数のバンドのそれぞれが、患者の身体の一部に関して取着されるべき前記本体部分上の位置を選択することと、
（ｉｉ）前記複数のバンドのそれぞれを前記本体部分に取着することと、
（ｉｉｉ）前記本体部分を前記患者の身体の一部の周囲に巻着することと、
（ｉｖ）前記複数のバンドのそれぞれを前記本体部分の一部の周囲に巻着し、圧縮を身体四肢に加えることと、
によって、前記圧縮ガーメントを前記患者の身体の一部の周囲で組み立てるステップを包含する、方法。
（項目２８）
（ｖ）前記複数のバンドを前記本体部分に取着することに先立って、前記本体部分を好ましいサイズに切断することをさらに含む、項目２７に記載の方法。
（項目２９）
前記本体部分を好ましいサイズに切断することは、
（ｉ）２つの場所において、身体四肢の円周を測定することと、
（ｉｉ）前記本体部分の頂部縁および底部縁が、前記２つの場所のそれぞれにおいて、前記身体四肢の円周に対応するように、前記本体部分を先細にすることと、
を含む、項目２８に記載の方法。
（項目３０）
前記複数のバンドのそれぞれを前記本体部分に取着することは、面ファスナによって、前記複数のバンドを前記本体部分に取着することを含む、項目２７に記載の方法。
（項目３１）
前記バンドを平坦な前記本体部分の一部の周囲に巻着することは、
（ｉ）前記本体部分の対向側縁をともに引張することと、
（ｉｉ）前記バンドを平坦な前記本体部分の前記対向側縁を横切って巻着することと、
を含む、項目２７に記載の方法。
（項目３２）
前記バンドを前記本体部分の対向領域縁を横切って巻着することは、前記対向領域から延在するバンドを並置することを備える、項目３１に記載の方法。
（項目３３）
前記本体部分のサイズは、適合の間、変更され、前記バンドのサイズは、適合の間、変更されない、項目２７に記載の方法。
（項目３４）
前記本体部分のサイズは、適合の間、変更され、前記バンドのサイズは、適合の間、変更される、項目２７に記載の方法。
（項目３５）
圧縮ガーメントであって、
患者の身体の一部の周囲に巻着されるような寸法にされた円筒形本体部分であって、頂部縁および底部縁を有する、本体部分と、
複数のバンドであって、前記バンドは、それぞれ、複数の異なる場所において、前記本体部分上に取着可能であり、そして前記バンドは、前記本体部分が、前記患者の身体の一部の周囲に巻着され、圧縮力を前記患者の身体に加えると、前記本体部分の一部の周囲に巻着する、バンドと、
を備える、ガーメント。
（項目３６）
円筒形圧縮ガーメントを本体部分に適合する方法であって、
前記円筒形圧縮ガーメントは、円筒形本体部分および複数のバンドを備え、前記方法は：
（ｉ）前記複数のバンドのそれぞれが、患者の身体の一部に関して取着されるべき前記本体部分上の位置を選択することと、
（ｉｉ）前記複数のバンドのそれぞれを前記本体部分に取着することと、
（ｉｉｉ）前記本体部分を前記患者の身体の一部の周囲に巻着することと、
（ｉｖ）前記複数のバンドのそれぞれを前記本体部分の一部の周囲に巻着し、圧縮を身体四肢に加えることと、
によって、前記円筒形圧縮ガーメントを前記患者の身体の一部の周囲で組み立てるステップを包含する、方法。
本発明は、特定の患者の身体部分の円周外形および長さに整合するように、容易かつ迅速に調整することができる、１つのサイズですべてに適合する圧縮ガーメントを提供する。本ガーメントの利点は、１つのサイズで全患者に提供することができることである（ガーメントの実際のサイジングおよび調節は、療法士またはエンドユーザまたは臨床医によって行うことができるため）。本ガーメントの別の利点は、装着が単純であって、療法士または臨床医またはエンドユーザが、成形し、正確にサイジングし、適宜調節することが非常に容易であることである。